(57)【特許請求の範囲】
【請求項１】
作業者が作業を行う作業エリアに設置され、センサネットワークを構築している複数のセンサノードと、作業者の作業管理を行う管理エリアに設置される無線アクセスポイント装置と、作業エリアと管理エリアを巡回する作業者が携行しセンサノード及び無線アクセスポイント装置とデータの送受信を行う移動ノードと、前記無線アクセスポイント装置に接続される管理サーバと、前記管理サーバにネットワークを介して接続される管理者端末とから構成され、移動ノードを用いたセンサネットワークの運用管理サービスを行うシステムであって、
前記複数のセンサノードは、ノードＩＤをそれぞれ有し、ログを移動ノードに送信する手段を備えており、前記移動ノードは、記録部を有し、センサノードから送信されたログを受信する手段と、受信したセンサノードのログをノードＩＤ毎に前記記録部に記録する手段と、ログを無線アクセスポイント装置に送信する手段とを備えており、前記無線アクセスポイント装置は、移動ノードから送信されたセンサノードのログを受信する手段と、受信したセンサノードのログを前記管理サーバに送る手段とを備えており、前記管理サーバは、収集ログデータベースを有し、前記無線アクセスポイント装置から送られたセンサノードのログを収集する手段と、収集したセンサノードのログを前記収集ログデータベースに格納する手段と、ログの解析を行う手段とを備えており、前記管理者端末は、前記管理サーバに対してセンサノードのログ収集状況を確認する手段を備え、
前記管理者端末は、センサノードの設定値の変更を管理サーバに指示し、前記管理サーバは、前記管理者端末からの指示に基づき設定ファイルを作成し、作成した設定ファイルを無線アクセスポイント装置に送り、前記無線アクセスポイント装置は、前記管理サーバから送られた前記設定ファイルを受け取り、受け取った設定ファイルを前記移動ノードに送信し、前記移動ノードは、前記無線アクセスポイント装置から送信された設定ファイルを受信し、受信した設定ファイルを前記記憶部に記録し、かつ設定ファイルを前記センサノードに送信し、前記センサノードは、前記移動ノードから送信された設定ファイルを受信し、受信した設定ファイルを適用することを特徴とする運用管理サービスシステム。
【請求項２】
前記管理サーバには、管理サーバ設定値としてログ収集状況確認間隔とログ収集確認時間が設定されており、前記管理サーバは、ログ収集確認時間になると、全センサノードに対して収集したログの最新時刻を確認し、ログ収集状況確認間隔以上ログが収集されていないセンサノードがある場合、ログ収集が行われていないセンサノードの設置場所を顧客と管理者にメールで通知する請求項１に記載の運用管理サービスシステム。
【請求項３】
前記管理サーバには、管理サーバ設定値としてログ収集状況確認間隔とログ収集確認時間が設定されており、前記管理サーバは、ログ収集確認時間になると、全センサノードに対して収集したログの最新時刻を確認し、ログ収集状況確認間隔以上ログが収集されていないセンサノードがある場合、ログ収集が行われていないセンサノードの設置場所を顧客と管理者にメールで通知し、
前記管理サーバには、管理サーバ設定値としてログ収集状況確認間隔とログ収集確認時間が設定されており、
前記管理サーバは、ログ収集確認時間になると、全センサノードに対して収集したログの最新時刻を確認し、ログ収集状況確認間隔以上ログが収集されていないセンサノードがある場合、ログ収集が行われていないセンサノードの設置場所を顧客と管理者にメールで通知する請求項１に記載の運用管理サービスシステム。
【請求項４】
前記管理サーバは、さらにログ収集状況管理データベースを有し、ノードＩＤとセンサノードの設置場所とを対応させたセンサノード一覧表を前記ログ収集状況管理データベースに格納する手段を備えている移動ノードに対してセンサノードのログ収集要請を行うノードＩＤを表にまとめたログ収集要請一覧表を前記ログ収集状況管理データベースに格納する請求項３に記載の運用管理サービスシステム。
【請求項５】
前記管理サーバは、ログのノードＩＤとログ収集要請一覧表とを比較し、収集ログデータベースに格納したセンサノードのログのノードＩＤがログ収集要請一覧表にあるかを判断し、ログのノードＩＤがログ収集要請一覧表にある場合、該当するノードＩＤをログ収集要請一覧表から削除する請求項４に記載の運用管理サービスシステム。
【請求項６】
前記管理サーバは、ログ収集要請一覧表にノードＩＤが登録されているかを判断し、センサノード一覧表とログ収集要請一覧表とを比較し、ログ収集が行われていないセンサノードの設置場所を特定し、特定したセンサノードの設置場所を顧客と管理者にメールで通知する請求項４または５に記載の運用管理サービスシステム。
【発明の詳細な説明】
【技術分野】
【０００１】
本発明は、移動ノードを用いたセンサネットワークの運用管理サービスを行う運用管理サービスシステムに関するものである。
【背景技術】
【０００２】
現状では、多数のセンサノードから構成されるセンサネットワークの監視やメンテナンスを行うためには、各センサノードからログの収集、解析し、対策を実施する必要がある。
【０００３】
センサネットワークを管理する運用代行会社では、運用コストを削減するために、ログの収集、解析を行う管理サーバをお客様（顧客）先に設置し、遠隔地にある運用代行会社の管理者端末から管理サーバを操作し、ログの収集、解析を行う。
【０００４】
そのためには、管理サーバと運用代行会社の管理者端末がネットワークで接続されている必要があるが、お客様環境によっては、基幹ネットワークとセンサネットワークを接続することができないため、遠隔地から管理サーバを操作できない場合がある。
【０００５】
従来、通信ケーブルの敷設していないフロアに設置されたビル設備管理のための設備機器の機器運転データを収集するシステムが特許文献１に開示されている。
【特許文献１】特開２００２−２８７８１９号公報
【発明の開示】
【発明が解決しようとする課題】
【０００６】
ところが、基幹ネットワークとセンサネットワークを接続するためには、新たな回線の敷設や余分な中継ノードの設置が必要となるため、センサネットワーク構築コストが上昇してしまう。
【０００７】
また、人手でログの収集、管理を行う方法でも、運用代行会社から顧客先に管理者を派遣する必要があり、人件費がかかってしまう。
【０００８】
従来の特許文献１に開示されたシステムは、アナログセンサとデータ収集条件を定めたプログラムを備えた移動・携帯型データ収集システムを測定現場に運び、付属のセンサでデータを収集し、移動・携帯型データ収集システムはインターネットなどに接続可能なインタフェースを持っており、通信可能な環境下においてクライアントにデータを表示したり、データ収集条件を指示することができるが、測定現場でのデータ解析・表示、もしくはフロアに移動・携帯型データ収集システムを設置し、インターネットで遠隔管理を行うため、測定現場がインターネットに接続できないような環境では、運用代行会社が人を派遣することなく、ログの収集やセンサノードの設定はできない。
【０００９】
そこで、本発明の目的は、上記の事情に鑑みてなされたものであって、基幹ネットワークとセンサネットワークが接続されていない環境でも、センサノードの遠隔管理が可能となり、移動ノードを携行する作業者が無意識にセンサノードのログを収集することができ、新たな回線の敷設や余分な中継ノードの設置が不要なので、センサネットワーク構築コストが上昇せず、運用代行会社から顧客先に人を派遣する必要がないので、人件費がかからず、ログの収集、管理、センサノードの設定変更が可能で、ログの収集状況、設定ファイルの適用状況を運用代行会社の管理者端末で一元的に管理可能で、基幹ネットワークとセンサネットワークを接続する回線の増設が難しい顧客に対しても、低コストでセンサネットワークの運用管理サービスを提供することが可能な運用管理サービスシステムを提供することにある。
【課題を解決するための手段】
【００１０】
本発明の運用管理サービスシステムは、作業者が作業を行う作業エリアに設置され、センサネットワークを構築している複数のセンサノードと、作業者の作業管理を行う管理エリアに設置される無線アクセスポイント装置と、作業エリアと管理エリアを巡回する作業者が携行しセンサノード及び無線アクセスポイント装置とデータの送受信を行う移動ノードと、前記無線アクセスポイント装置に接続される管理サーバと、前記管理サーバにネットワークを介して接続される管理者端末とから構成され、移動ノードを用いたセンサネットワークの運用管理サービスを行うシステムであって、前記複数のセンサノードが、ノードＩＤをそれぞれ有し、ログを移動ノードに送信する手段を備えており、前記移動ノードが、記録部を有し、センサノードから送信されたログを受信する手段と、受信したセンサノードのログをノードＩＤ毎に前記記録部に記録する手段と、ログを無線アクセスポイント装置に送信する手段とを備えており、前記無線アクセスポイント装置が、移動ノードから送信されたセンサノードのログを受信する手段と、受信したセンサノードのログを前記管理サーバに送る手段とを備えており、前記管理サーバが、収集ログデータベースを有し、前記無線アクセスポイント装置から送られたセンサノードのログを収集する手段と、収集したセンサノードのログを前記収集ログデータベースに格納する手段と、ログの解析を行う手段とを備えており、前記管理者端末が、前記管理サーバに対してセンサノードのログ収集状況を確認する手段を備えたことを特徴とする構成を有するものである。
【００１１】
本発明の運用管理サービスシステムは、上記移動ノードが、センサノードに対してログの送信要求を送り、上記複数のセンサノードが、移動ノードからのログの送信要求を受けると、ログを移動ノードに送信するようになっている。
【００１２】
本発明の運用管理サービスシステムは、上記管理サーバが、センサノードのログを受領したことを移動ノードに通知する手段を備え、上記移動ノードが、管理サーバからのセンサノードのログの受領通知を受け取ると、上記記録部に記録されているセンサノードのログを削除する手段を備えている。
【００１３】
本発明の運用管理サービスシステムは、上記管理者端末が、センサノードの設定値の変更を管理サーバに指示し、上記管理サーバが、前記管理者端末からの指示に基づき設定ファイルを作成し、作成した設定ファイルを無線アクセスポイント装置に送り、上記無線アクセスポイント装置が、管理サーバから送られた設定ファイルを受け取り、受け取った設定ファイルを移動ノードに送信し、上記移動ノードが、無線アクセスポイント装置から送信された設定ファイルを受信し、受信した設定ファイルを上記記憶部に記録し、設定ファイルをセンサノードに送信し、上記センサノードが、移動ノードから送信された設定ファイルを受信し、受信した設定ファイルを適用するようになっている。
【００１４】
本発明の運用管理サービスシステムは、上記センサノードが、移動ノードから送信された設定ファイルを受信したことを移動ノードに通知する手段を備え、上記移動ノードが、センサノードからの設定ファイルの受信通知を受け取ると、上記記録部に記録されている設定ファイルを削除するようになっている。
【００１５】
本発明の運用管理サービスシステムは、上記管理サーバが、移動ノードへの設定ファイルの送信時に、送信した設定ファイル名と設定ファイルの適用を指示した時刻を記録するようになっている。
【００１６】
本発明の運用管理サービスシステムは、上記管理サーバには、管理サーバ設定値としてログ収集状況確認間隔とログ収集確認時間が設定されており、前記管理サーバが、ログ収集確認時間になると、全センサノードに対して収集したログの最新時刻を確認し、ログ収集状況確認間隔以上ログが収集されていないセンサノードがある場合、ログ収集が行われていないセンサノードの設置場所を顧客と管理者にメールで通知するようになっている。
【００１７】
本発明の運用管理サービスシステムは、上記管理サーバが、ログ収集状況管理データベースを有し、ノードＩＤとセンサノードの設置場所とを対応させたセンサノード一覧表を前記ログ収集状況管理データベースに格納する手段を備えている。
【００１８】
本発明の運用管理サービスシステムは、上記管理サーバが、移動ノードに対してセンサノードのログ収集要請を行うノードＩＤを表にまとめたログ収集要請一覧表を上記ログ収集状況管理データベースに格納するようになっている。
【００１９】
本発明の運用管理サービスシステムは、上記管理サーバが、設定値管理データベースを有し、センサノードへの設定ファイルの適用状況を表にまとめた設定ファイル適用状況一覧表を前記設定値管理データベースに格納する手段を備えている。
【００２０】
本発明の運用管理サービスシステムは、上記管理サーバが、センサノードへの処理を記述したバッチファイルや設定ファイルを格納するようになっている。
【００２１】
本発明の運用管理サービスシステムは、上記管理者端末が、表示部を備え、管理サーバにログ収集状況の問い合わせを行い、ログ収集状況管理データベースに格納されているログ収集要請一覧表に記載されたノードＩＤを基にセンサノード一覧表を検索し、センサノードの設置場所を特定し、特定したログ収集が行われていないノードＩＤと設置場所を前記表示部に表示させるようになっている。
【００２２】
本発明の運用管理サービスシステムは、上記管理サーバが、ログを解析した結果からセンサノードに処理を行う必要がある場合、センサノードへの処理を記述したバッチファイルや設定ファイルを無線アクセスポイント装置に送り、上記無線アクセスポイント装置が、管理サーバから送られたバッチファイルや設定ファイルを受け取り、受け取ったバッチファイルや設定ファイルを移動ノードに送信し、上記移動ノードが、無線アクセスポイント装置から送信されたバッチファイルや設定ファイルを受信し、受信したバッチファイルや設定ファイルを上記記憶部に記録し、バッチファイルや設定ファイルをセンサノードに送信し、上記センサノードが、移動ノードから送信されたバッチファイルや設定ファイルを受信し、受信したバッチファイルや設定ファイルに従って処理を実行するようになっている。
【００２３】
本発明の運用管理サービスシステムは、上記管理者端末が、管理サーバにセンサノードへの設定ファイル適用状況の問い合わせを行い、管理サーバから設定値管理データベースに格納されている設定ファイル適用状況一覧表を取得し、取得した設定ファイル適用状況一覧表を表示部に表示させるようになっている。
【００２４】
本発明の運用管理サービスシステムは、上記管理サーバが、ログのノードＩＤとログ収集要請一覧表とを比較し、収集ログデータベースに格納したセンサノードのログのノードＩＤがログ収集要請一覧表にあるかを判断し、ログのノードＩＤがログ収集要請一覧表にある場合、該当するノードＩＤをログ収集要請一覧表から削除するようになっている。
【００２５】
本発明の運用管理サービスシステムは、上記管理サーバが、ログ収集要請一覧表にノードＩＤが登録されているかを判断し、センサノード一覧表とログ収集要請一覧表とを比較し、ログ収集が行われていないセンサノードの設置場所を特定し、特定したセンサノードの設置場所を顧客と管理者にメールで通知するようになっている。
【発明の効果】
【００２６】
以上に述べたように、本発明によれば、基幹ネットワークとセンサネットワークが接続されていない環境でも、センサノードの遠隔管理が可能となり、移動ノードを携行する作業者が無意識にセンサノードのログを収集することができ、新たな回線の敷設や余分な中継ノードの設置が不要なので、センサネットワーク構築コストが上昇せず、運用代行会社から顧客先に人を派遣する必要がないので、人件費がかからず、ログの収集、管理、センサノードの設定変更が可能で、ログの収集状況、設定ファイルの適用状況を運用代行会社の管理者端末で一元的に管理可能で、基幹ネットワークとセンサネットワークを接続する回線の増設が難しい顧客に対しても、低コストでセンサネットワークの運用管理サービスを提供することが可能な運用管理サービスシステムを得ることができる。
【発明を実施するための最良の形態】
【００２７】
以下、本発明を実施するための最良の形態を図面を参照して詳細に説明する。
【実施例】
【００２８】
本発明の運用管理サービスシステムＳは、作業者１が作業を行う作業エリアＡに設置され、センサネットワークを構築している複数のセンサノード２と、作業者１の作業管理を行う管理エリアＢに設置される無線アクセスポイント（Ａｃｃｅｓｓ  Ｐｏｉｎｔ；ＡＰ）装置３と、作業エリアＡと管理エリアＢを巡回する作業者１が携行しセンサノード２及び無線アクセスポイント装置３とデータの送受信を行う移動ノード４と、無線アクセスポイント装置３に接続される管理サーバ５と、管理サーバ５にネットワーク６を介して接続される管理者端末７とから構成されている。
【００２９】
本発明の運用管理サービスシステムＳは、移動ノード４を用いたセンサネットワークの運用管理サービスを行うシステムである。
【００３０】
本発明の運用管理サービスシステムＳは、複数のセンサノード２が、ノードＩＤをそれぞれ有している。
【００３１】
本発明の運用管理サービスシステムＳは、複数のセンサノード２が、ログを移動ノード４に送信する手段を備えている。
【００３２】
本発明の運用管理サービスシステムＳは、移動ノード４が、記録部（図示せず）を有している。
【００３３】
本発明の運用管理サービスシステムＳは、移動ノード４が、センサノード２から送信されたログを受信する手段と、受信したセンサノード２のログをノードＩＤ毎に記録部に記録する手段と、ログを無線アクセスポイント装置３に送信する手段とを備えている。
【００３４】
本発明の運用管理サービスシステムＳは、無線アクセスポイント装置３が、移動ノード４から送信されたセンサノード２のログを受信する手段と、受信したセンサノード２のログを管理サーバ５に送る手段とを備えている。
【００３５】
本発明の運用管理サービスシステムＳは、管理サーバ５が、収集ログデータベース（Ｄａｔａ  Ｂａｓｅ；ＤＢ）５０を有している。
【００３６】
本発明の運用管理サービスシステムＳは、管理サーバ５が、無線アクセスポイント装置３から送られたセンサノード２のログを収集する手段と、収集したセンサノード２のログを収集ログデータベース５０に格納する手段と、ログの解析を行う手段とを備えている。
【００３７】
本発明の運用管理サービスシステムＳは、管理者端末７が、管理サーバ５に対してセンサノード２のログ収集状況を確認する手段を備えている。
【００３８】
本発明の運用管理サービスシステムＳは、移動ノード４が、センサノード２に対してログの送信要求を送るようになっている。
【００３９】
本発明の運用管理サービスシステムＳは、複数のセンサノード２が、移動ノード４からのログの送信要求を受けると、ログを移動ノード４に送信するようになっている。
【００４０】
本発明の運用管理サービスシステムＳは、管理サーバ５が、センサノード２のログを受領したことを移動ノード４に通知する手段を備えている。
【００４１】
本発明の運用管理サービスシステムＳは、移動ノード４が、管理サーバ５からのセンサノード２のログの受領通知を受け取ると、記録部に記録されているセンサノード２のログを削除する手段を備えている。
【００４２】
本発明の運用管理サービスシステムＳは、管理者端末７が、センサノード２の設定値の変更を管理サーバ５に指示するようになっている。
【００４３】
本発明の運用管理サービスシステムＳは、管理サーバ５が、管理者端末７からの指示に基づき設定ファイル５１を作成し、作成した設定ファイル５１を無線アクセスポイント装置３に送るようになっている。
【００４４】
本発明の運用管理サービスシステムＳは、無線アクセスポイント装置３が、管理サーバ５から送られた設定ファイル５１を受け取り、受け取った設定ファイル５１を移動ノード４に送信するようになっている。
【００４５】
本発明の運用管理サービスシステムＳは、移動ノード４が、無線アクセスポイント装置３から送信された設定ファイル５１を受信し、受信した設定ファイル５１を記憶部に記録し、設定ファイル５１をセンサノード２に送信するようになっている。
【００４６】
本発明の運用管理サービスシステムＳは、センサノード２が、移動ノード４から送信された設定ファイル５１を受信し、受信した設定ファイル５１を適用するようになっている。
【００４７】
本発明の運用管理サービスシステムＳは、センサノード２が、移動ノード４から送信された設定ファイル５１を受信したことを移動ノード４に通知する手段を備えている。
【００４８】
本発明の運用管理サービスシステムＳは、移動ノード４が、センサノード２からの設定ファイル５１の受信通知を受け取ると、記録部に記録されている設定ファイル５１を削除するようになっている。
【００４９】
本発明の運用管理サービスシステムＳは、管理サーバ５が、移動ノード４への設定ファイル５１の送信時に、送信した設定ファイル名と設定ファイルの適用を指示した時刻を記録するようになっている。
【００５０】
本発明の運用管理サービスシステムＳは、管理サーバ５に、管理サーバ設定値としてログ収集状況確認間隔とログ収集確認時間が設定されている。
【００５１】
本発明の運用管理サービスシステムＳは、管理サーバ５が、ログ収集確認時間になると、全センサノード２に対して収集したログの最新時刻を確認し、ログ収集状況確認間隔以上ログが収集されていないセンサノード２がある場合、ログ収集が行われていないセンサノード２の設置場所を顧客と管理者７１にメールで通知するようになっている。
【００５２】
本発明の運用管理サービスシステムＳは、管理サーバ５が、ログ収集状況管理データベース（Ｄａｔａ  Ｂａｓｅ；ＤＢ）５２を有している。
【００５３】
本発明の運用管理サービスシステムＳは、管理サーバ５が、ノードＩＤとセンサノード２の設置場所とを対応させたセンサノード一覧表をログ収集状況管理データベース５２に格納する手段を備えている。
【００５４】
本発明の運用管理サービスシステムＳは、管理サーバ５が、移動ノード４に対してセンサノード２のログ収集要請を行うノードＩＤを表にまとめたログ収集要請一覧表をログ収集状況管理データベース５２に格納するようになっている。
【００５５】
本発明の運用管理サービスシステムＳは、管理サーバ５が、設定値管理データベース（Ｄａｔａ  Ｂａｓｅ；ＤＢ）５３を有している。
【００５６】
本発明の運用管理サービスシステムＳは、管理サーバ５が、センサノード２への設定ファイルの適用状況を表にまとめた設定ファイル適用状況一覧表を設定値管理データベース５３に格納する手段を備えている。
【００５７】
本発明の運用管理サービスシステムＳは、管理サーバ５が、センサノード２への処理を記述したバッチファイルや設定ファイルを格納するようになっている。
【００５８】
本発明の運用管理サービスシステムＳは、管理者端末７が、表示部７０を備えている。
【００５９】
本発明の運用管理サービスシステムＳは、管理者端末７が、管理サーバ５にログ収集状況の問い合わせを行い、ログ収集状況管理データベース５２に格納されているログ収集要請一覧表に記載されたノードＩＤを基にセンサノード一覧表を検索し、センサノード２の設置場所を特定し、特定したログ収集が行われていないノードＩＤと設置場所を表示部７０に表示させるようになっている。
【００６０】
本発明の運用管理サービスシステムＳは、管理サーバ５が、ログを解析した結果からセンサノード２に処理を行う必要がある場合、センサノード２への処理を記述したバッチファイルや設定ファイルを無線アクセスポイント装置３に送るようになっている。
【００６１】
本発明の運用管理サービスシステムＳは、無線アクセスポイント装置３が、管理サーバ５から送られたバッチファイルや設定ファイルを受け取り、受け取ったバッチファイルや設定ファイルを移動ノード４に送信するようになっている。
【００６２】
本発明の運用管理サービスシステムＳは、移動ノード４が、無線アクセスポイント装置３から送信されたバッチファイルや設定ファイルを受信し、受信したバッチファイルや設定ファイルを記憶部に記録し、バッチファイルや設定ファイルをセンサノード２に送信するようになっている。
【００６３】
本発明の運用管理サービスシステムＳは、センサノード２が、移動ノード４から送信されたバッチファイルや設定ファイルを受信し、受信したバッチファイルや設定ファイルに従って処理を実行するようになっている。
【００６４】
本発明の運用管理サービスシステムＳは、管理者端末７が、管理サーバ５にセンサノード２への設定ファイル適用状況の問い合わせを行い、管理サーバ５から設定値管理データベース５３に格納されている設定ファイル適用状況一覧表を取得し、取得した設定ファイル適用状況一覧表を表示部７０に表示させるようになっている。
【００６５】
本発明の運用管理サービスシステムＳは、管理サーバ５が、ログのノードＩＤとログ収集要請一覧表とを比較し、収集ログデータベース５０に格納したセンサノード２のログのノードＩＤがログ収集要請一覧表にあるかを判断し、ログのノードＩＤがログ収集要請一覧表にある場合、該当するノードＩＤをログ収集要請一覧表から削除するようになっている。
【００６６】
本発明の運用管理サービスシステムＳは、管理サーバ５が、ログ収集要請一覧表にノードＩＤが登録されているかを判断し、センサノード一覧表とログ収集要請一覧表とを比較し、ログ収集が行われていないセンサノード２の設置場所を特定し、特定したセンサノード２の設置場所を顧客と管理者７１にメールで通知するようになっている。
【００６７】
図１は、本発明の実施例に係る運用管理サービスシステムを示すシステム構成図である。
運用管理サービスシステムＳは、図１に示すように、顧客先１０の作業エリアＡに設置されたセンサネットワークを構築している複数のセンサノード２（２ａ，２ｂ）と、顧客先１０の管理エリアＢに設置された無線アクセスポイント装置３と、顧客先１０の作業エリアＡと管理エリアＢを巡回する作業者１が携行する移動ノード４と、顧客先１０に設置された管理サーバ５と、遠隔地の運用代行会社７２に設置された管理者端末７とから構成されている。
【００６８】
顧客先（農園）１０の作業エリア（各農地）Ａには、図１に示すように、温度・湿度を計測するための複数のセンサノード２が設置されている。
【００６９】
顧客先１０の管理エリア（事務所）Ｂには、無線アクセスポイント装置３が設置されている。
【００７０】
顧客先１０の作業エリアＡで農作業を行う作業者１には、移動ノード（名札センサノード）４が装着される。
【００７１】
顧客先１０には、管理サーバ５が設置されている。
【００７２】
管理サーバ５は、図１に示すように、収集ログデータベース５０とログ収集状況管理データベース５２と設定値管理データベース５３とを有している。
【００７３】
無線アクセスポイント装置３と管理サーバ５とは、ＬＡＮ（Ｌｏｃａｌ  Ａｒｅａ  Ｎｅｔｗｏｒｋ）９でネットワーク接続されている。
【００７４】
運用代行会社７２には、図１に示すように、管理者端末７が設置されている。
【００７５】
顧客先１の管理サーバ５と運用代行会社７２の管理者端末７とは、ネットワーク６で接続されている。
【００７６】
本発明の運用管理サービスシステムは、センサネットワークが構築されている作業エリア（農地）Ａで作業を行う作業者１に移動ノード（名札センサノード、ノートＰＣなど）４を持たせ、移動ノード４とログが収集されていないセンサノード２が送受信可能になったとき、センサノード２のログを移動ノード４に格納する。
【００７７】
移動ノード４が管理サーバ５に接続された管理エリア（事務所）Ｂの無線アクセスポイント装置３と送受信可能になったとき、そのログを移動ノード４から無線アクセスポイント装置３経由で管理サーバ５に送ることにより、管理サーバ５は、間接的にセンサノード２のログの収集を行う。
【００７８】
また、管理サーバ５でセンサノード２のログを解析した結果、センサノード２に処理を行う必要がある場合、処理を記述したバッチファイルや設定ファイルをログ収集時と同様に移動ノード４経由でセンサノード２に送り、センサノード２に実行させる。
【００７９】
図２は、設定ファイルの適用成功を知らせるパケットの一例を示す図である。
設定ファイルの適用成功を知らせるパケット２０には、図２に示すように、送信元の移動ノード４の移動ノードＩＤと、送信先の管理サーバ５のＩＰ（Ｉｎｔｅｒｎｅｔ  Ｐｒｏｔｏｃｏｌ）アドレスと、設定ファイル５１の適用成否と、設定ファイル５１を適用するセンサノード２のノードＩＤとが記載されている。
【００８０】
図３は、管理サーバ設定値の一例を示す図である。
図３では、管理サーバ設定値として、ログ収集状況確認間隔を２４時間に設定し、ログ収集確認時間を７：００に設定してある。
【００８１】
図３に示す管理サーバ設定値は、あらかじめ管理サーバ５に設定しておく。
【００８２】
図４は、センサノードのログの一例を示す図である。
センサノードのログ２１には、図４に示すように、作業エリアに設置されたセンサノードで温度・湿度の計測が行われた「時刻」と、センサノードで計測した作業エリアの「温度」と、センサノードで計測した作業エリアの「湿度」とが記録されている。
【００８３】
図４に示すセンサノードのログ２１は、収集ログデータベース５０にセンサノード２のノードＩＤ毎に記録される。
【００８４】
図５は、センサノード一覧表の一例を示す図である。
センサノード一覧表５４には、図５に示すように、センサノード２の「ノードＩＤ」と、センサノード２の「設置場所」とが対応させて登録されている。
【００８５】
図５に示すセンサノード一覧表５４は、ログ収集状況管理データベース５２にあらかじめ格納しておく。
【００８６】
図６は、ログ収集要請一覧表の一例を示す説明図である。
ログ収集要請一覧表５５には、図６に示すように、移動ノード４に対してログ収集要請を行うセンサノード２の「ノードＩＤ」が登録されている。
【００８７】
図６に示すログ収集要請一覧表５５は、ログ収集状況管理データベース５２に記録される。
【００８８】
図７は、設定ファイル適用状況一覧表の一例を示す図である。
設定ファイル適用状況一覧表５６には、図７に示すように、センサノード２の「ノードＩＤ」と、センサノード２の「現在の設定ファイル名」と、「適用を指示した設定ファイル名」と、設定ファイルの適用を指示した「適用指示時刻」と、設定ファイルの「適用成否」とが対応させて登録されている。
【００８９】
図７に示す設定ファイル適用状況一覧表５６は、設定値管理データベース５３に記録される。
【００９０】
また、設定ファイル５１の本体は、管理サーバ５に保管しておく。
【００９１】
図８は、本発明の実施例に係る運用管理サービスシステムにおける移動ノードによるセンサノードからのログの収集時の処理の流れを説明するフローチャート図である。
ステップＳ１００でスタートした処理は、移動ノード４を携行する作業者１が作業エリア（農地）Ａに設置されているセンサノード２に近づくと、まず、移動ノード４からセンサノード２に対してログの送信要求を送り（ステップＳ１０１）、次いで、移動ノード４の通信範囲内にセンサノード２があるかを判断する（ステップＳ１０２）。
【００９２】
ここで、移動ノード４の通信範囲内にセンサノード２がある場合（ステップＳ１０２“Ｙ”）、移動ノード４はセンサノード２のログを受信し、移動ノード４の記録部にセンサノード２のノードＩＤ毎にログを記録する（ステップＳ１０３）。
【００９３】
また、移動ノード４の通信範囲内にセンサノード２がない場合（ステップＳ１０２“Ｎ”）、移動ノード４を携行する作業者１が作業エリア（農地）Ａに設置されているセンサノード２に近づくまでＷＡＩＴ（待機）し（ステップＳ１０４）、その後、ステップＳ１０１に戻る。
【００９４】
図９は、本発明の実施例に係る運用管理サービスシステムにおける移動ノードから管理サーバへのログの送信時の処理の流れを説明するフローチャート図である。
ステップＳ２００でスタートした処理は、移動ノード４を携行する作業者１が管理エリア（事務所）Ｂに戻ると、まず、移動ノード４の通信範囲内に管理サーバ５に接続された無線アクセスポイント装置３があるかを判断する（ステップＳ２０１）。
【００９５】
ここで、移動ノード４の通信範囲内に管理サーバ５に接続された無線アクセスポイント装置３がある場合（ステップＳ２０１“Ｙ”）、移動ノード４から無線アクセスポイント装置３経由でセンサノード２のログを管理サーバ５へ送信し（ステップＳ２０２）、次いで、管理サーバ５はセンサノード２のログの受信に成功したかを判断する（ステップＳ２０３）。
【００９６】
また、移動ノード４の通信範囲内に管理サーバ５に接続された無線アクセスポイント装置３がない場合（ステップＳ２０１“Ｎ”）、移動ノード４を携行する作業者１が管理エリアＢに戻るまでＷＡＩＴ（待機）し（ステップＳ２０４）、その後、ステップＳ２０１に戻る。
【００９７】
ここで、管理サーバ５がセンサノード２のログの受信に成功した場合（ステップＳ２０３“Ｙ”）、センサノード２のログの受信成功を知らせるパケットを管理サーバ５から移動ノード４へ送信し（ステップＳ２０５）、次いで、移動ノード４はセンサノード２のログの受信成功を知らせるパケットを受信し（ステップＳ２０６）、その後、移動ノード４の記録部から送信したセンサノード２のログを削除する（ステップＳ２０７）。
【００９８】
また、管理サーバ５がセンサノード２のログの受信に失敗した場合（ステップＳ２０３“Ｎ”）、センサノード２のログの受信失敗を知らせるパケットを管理サーバ５から移動ノード４へ送信し（ステップＳ２０８）、次いで、移動ノード４はセンサノード２のログの受信失敗を知らせるパケットを受信し（ステップＳ２０９）、次いで、移動ノード４を携行する作業者１が管理エリアＢに戻るまでＷＡＩＴ（待機）し（ステップＳ２０４）、その後、ステップＳ２０１に戻る。
【００９９】
図１０は、本発明の実施例に係る運用管理サービスシステムにおける管理サーバから移動ノードへの設定ファイルの送信時の処理の流れを説明するフローチャート図である。
ステップＳ３００でスタートした処理は、まず、管理者７１は管理者端末７でセンサノード２の設定値を指示し（ステップＳ３０１）、次いで、管理サーバ５は管理者端末７から入力された値を基にセンサノード２の設定ファイルを作成し（ステップＳ３０２）、次いで、管理サーバ５に接続された無線アクセスポイント装置３の通信範囲内に移動ノード４があるかを判断する（ステップＳ３０３）。
【０１００】
ここで、管理サーバ５に接続された無線アクセスポイント装置３の通信範囲内に移動ノード４がある場合（ステップＳ３０３“Ｙ”）、管理サーバ５から無線アクセスポイント装置３経由で移動ノード４に設定ファイルを送信し（ステップＳ３０４）、次いで、移動ノード４は設定ファイルの受信に成功したかを判断する（ステップＳ３０５）。
【０１０１】
また、管理サーバ５に接続された無線アクセスポイント装置３の通信範囲内に移動ノード４がない場合（ステップＳ３０３“Ｎ”）、移動ノード４を携行する作業者１が管理エリアＢに戻るまでＷＡＩＴし（ステップＳ３０６）、その後、ステップＳ３０３に戻る。
【０１０２】
ここで、移動ノード４が設定ファイルの受信に成功した場合（ステップＳ３０５“Ｙ”）、移動ノード４は設定ファイルを記録部に記録し（ステップＳ３０７）、次いで、設定ファイルの受信成功を知らせるパケットを移動ノード４から管理サーバ５へ送信し（ステップＳ３０８）、その後、管理サーバ５は設定ファイルの受信成功を知らせるパケットを受信する（ステップＳ３０９）。
【０１０３】
また、移動ノード４が設定ファイルの受信に失敗した場合（ステップＳ３０５“Ｎ”）、設定ファイルの受信失敗を知らせるパケットを移動ノード４から管理サーバ５へ送信し（ステップＳ３１０）、次いで、管理サーバ５は設定ファイルの受信失敗を知らせるパケットを受信し（ステップＳ３１１）、次いで、移動ノード４を携行する作業者１が管理エリアＢに戻るまでＷＡＩＴし（ステップＳ３０６）、その後、ステップＳ３０３に戻る。
【０１０４】
図１１は、本発明の実施例に係る運用管理サービスシステムにおける移動ノードからセンサノードへの設定ファイルの送信時の処理の流れを説明するフローチャート図である。
ステップＳ４００でスタートした処理は、移動ノード４を携行する作業者１が作業エリア（農地）Ａに設置されているセンサノード２に近づくと、まず、移動ノード４の通信範囲内にセンサノード２があるかを判断する（ステップＳ４０１）。
【０１０５】
ここで、移動ノード４の通信範囲内にセンサノード２がある場合（ステップＳ４０１“Ｙ”）、移動ノード４からセンサノード２に設定ファイルを送信し（ステップＳ４０２）、次いで、設定ファイル適用の対象となるセンサノード２は設定ファイルの受信に成功したかを判断する（ステップＳ４０３）。
【０１０６】
また、移動ノード４の通信範囲内にセンサノード２がない場合（ステップＳ４０１“Ｎ”）、移動ノード４を携行する作業者１が作業エリア（農地）Ａに設置されているセンサノード２に近づくまでＷＡＩＴ（待機）し（ステップＳ４０４）、その後、ステップＳ４０１に戻る。
【０１０７】
ここで、設定ファイル適用の対象となるセンサノード２が設定ファイルの受信に成功した場合（ステップＳ４０３“Ｙ”）、設定ファイルの受信成功を知らせるパケットを適用対象のセンサノード２から移動ノード４へ送信し（ステップＳ４０５）、次いで、移動ノード４は設定ファイルの受信成功を知らせるパケットを受信し（ステップＳ４０６）、次いで、センサノード２は受信した設定ファイルを適用し（ステップＳ４０７）、次いで、センサノード２は設定ファイルの適用に成功したかを判断する（ステップＳ４０８）。
【０１０８】
また、設定ファイル適用の対象となるセンサノード２が設定ファイルの受信に失敗した場合（ステップＳ４０３“Ｎ”）、設定ファイルの受信失敗を知らせるパケットをセンサノード２から移動ノード４へ送信し（ステップＳ４０９）、次いで、移動ノード４は設定ファイルの受信失敗を知らせるパケットを受信し（ステップＳ４１０）、次いで、移動ノード４を携行する作業者１が作業エリア（農地）Ａに設置されているセンサノード２に近づくまでＷＡＩＴ（待機）し（ステップＳ４０４）、その後、ステップＳ４０１に戻る。
【０１０９】
ここで、センサノード２が設定ファイルの適用に成功した場合（ステップＳ４０８“Ｙ”）、設定ファイルの適用成功を知らせるパケットをセンサノード２から移動ノード４へ送信し（ステップＳ４１１）、次いで、移動ノード４は設定ファイルの適用成功を知らせるパケットを受信し、記録部に記録し（ステップＳ４１２）、その後、移動ノード４の記録部から設定ファイルを削除する（ステップＳ４１３）。
【０１１０】
また、センサノード２が設定ファイルの適用に失敗した場合（ステップＳ４０８“Ｎ”）、設定ファイルの適用失敗を知らせるパケットをセンサノード２から移動ノード４へ送信し（ステップＳ４１４）、次いで、移動ノード４は設定ファイルの適用失敗を知らせるパケットを受信し（ステップＳ４１５）、その後、ステップＳ４０１に戻る。
【０１１１】
図１２は、本発明の実施例に係る運用管理サービスシステムにおける管理サーバでのログ収集状況の自動確認時の処理の流れを説明するフローチャート図である。
ステップＳ５００でスタートした処理は、まず、管理サーバ５があらかじめ図３に示す管理サーバ設定値として設定されているログ収集確認時間（７：００）になったかを判断する（ステップＳ５０１）。
【０１１２】
ここで、ログ収集確認時間（７：００）になった場合（ステップＳ５０１“Ｙ”）、図５に示すセンサノード一覧表５４に記載されたノードＩＤについて先頭から一つずつの以下の処理（ステップＳ５０４〜ステップＳ５０７）を実施する（ステップＳ５０２）。
【０１１３】
また、ログ収集確認時間（７：００）になっていない場合（ステップＳ５０１“Ｎ”）、ログ収集確認時間（７：００）になるまでＷＡＩＴ（待機）し（ステップＳ５０３）、その後、ステップＳ５０１に戻る。
【０１１４】
ステップＳ５０４では、収集ログデータベース５０に格納された図４に示すセンサノードのログ２１から最新日時を取得する。
【０１１５】
ステップＳ５０５では、取得したセンサノードのログ２１の最新日時と管理サーバ５から取得した現在日時を比較する。
【０１１６】
ステップＳ５０６では、時間差が図３に示す管理サーバ設定値として設定されているログ収集状況確認間隔（２４時間）以上であるかを判断する。
【０１１７】
ここで、時間差がログ収集状況確認間隔（２４時間）以上である場合（ステップＳ５０６“Ｙ”）、図６に示すログ収集要請一覧表５５にノードＩＤを登録する（ステップＳ５０７）。
【０１１８】
即ち、毎日、管理サーバ５に管理サーバ設定値として設定されたログ収集確認時間になると、管理サーバ５は、全センサノードに対して収集したログの最新時刻を確認し、ログ収集状況確認間隔以上ログが収集されていないセンサノード２がある場合、ログ収集要請一覧表５５にノードＩＤを登録するステップＳ５０２とステップＳ５０８との間の処理（ステップＳ５０４〜ステップＳ５０７）を繰り返し、ログ収集状況の自動確認処理を行った後に、管理サーバ５は図６に示すログ収集要請一覧表５５にノードＩＤが登録されているかを判断する（ステップＳ５０９）。
【０１１９】
また、時間差がログ収集状況確認間隔以上でない場合（ステップＳ５０６“Ｎ”）、ステップＳ５０８に移行する。
【０１２０】
ここで、ログ収集要請一覧表５５にノードＩＤが登録されている場合（ステップＳ５０９“Ｙ”）、図５に示すセンサノード一覧表５４と図６に示すログ収集要請一覧表５５を比較し、センサノード２の設置場所を特定し（ステップＳ５１０）、顧客（お客様）８と運用代行会社７２の管理者７１にメールでログ収集が行われていないセンサノード２の設置場所を通知する（ステップＳ５１１）。
【０１２１】
また、ログ収集要請一覧表５５にノードＩＤが登録されていない場合（ステップＳ５０９“Ｎ”）、ステップＳ５１１に移行する。
【０１２２】
図１３は、本発明の実施例に係る運用管理サービスシステムにおける管理サーバのログ登録処理の流れを説明するフローチャート図である。
ステップＳ６００でスタートした処理は、まず、管理サーバ５は移動ノード４からセンサノード２のログを受信し（ステップＳ６０１）、次いで、管理サーバ５が収集ログデータベース５０にセンサノード２のログを格納し（ステップＳ６０２）、次いで、センサノード２のログのノードＩＤと図６に示すログ収集要請一覧表５５を比較し（ステップＳ６０３）、次いで、収集ログデータベース５０に格納したセンサノード２のログのノードＩＤが図６のログ収集要請一覧表５５にあるかを判断する（ステップＳ６０４）。
【０１２３】
ここで、収集ログデータベース５０に格納したセンサノード２のログのノードＩＤがログ収集要請一覧表５５にある場合（ステップＳ６０４“Ｙ”）、管理サーバ５は図６のログ収集要請一覧表５５から該当するノードＩＤを削除する（ステップＳ６０５）。
【０１２４】
また、収集ログデータベース５０に格納したセンサノード２のログのノードＩＤがログ収集要請一覧表５５にない場合（ステップＳ６０４“Ｎ”）、管理サーバ５のログ登録処理は終了する（ステップＳ６０６）。
【０１２５】
図１４は、本発明の実施例に係る運用管理サービスシステムにおける管理者端末からのログ収集状況の確認時の処理の流れを説明するフローチャート図である。
ステップＳ７００でスタートした処理は、まず、管理者端末７より管理サーバ５にログ収集状況の問い合わせを行い（ステップＳ７０１）、次いで、図６に示すログ収集要請一覧表５５に記載されたノードＩＤを基に図５に示すセンサノード一覧表５４を検索し、センサノード２の設置場所を特定し（ステップＳ７０２）、その後、ログ収集が行われていないセンサノード２のノードＩＤと設置場所を管理者端末７の表示部７０に表示させる（ステップＳ７０３）。
【０１２６】
図１５は、本発明の実施例に係る運用管理サービスシステムにおける管理サーバの設定ファイル送信状況の登録処理の流れを説明するフローチャート図である。
ステップＳ８００でスタートした処理は、まず、管理サーバ５から無線アクセスポイント装置３経由で移動ノード４に設定ファイルを送信する（ステップＳ８０１）。
【０１２７】
次いで、設定ファイルの送信先のセンサノード２のノードＩＤをキーに図７に示す設定ファイル適用状況一覧表５６を検索する（ステップＳ８０２）。
【０１２８】
次いで、図７の設定ファイル適用状況一覧表５６の該当行の「適用指示時刻」を管理サーバ５から取得した現在日時に更新する（ステップＳ８０３）。
【０１２９】
次いで、図７の設定ファイル適用状況一覧表５６の該当行の「適用を指示した設定ファイル名」を送信した設定ファイル名に更新する（ステップＳ８０４）。
【０１３０】
その後、図７の設定ファイル適用状況一覧表５６の該当行の「適用成否」を×に更新する（ステップＳ８０５）。
【０１３１】
図１６は、本発明の実施例に係る運用管理サービスシステムにおけるセンサノードでの設定ファイル適用状況の管理サーバへの登録処理の流れを説明するフローチャート図である。
ステップＳ９００でスタートした処理は、まず、移動ノード４の通信範囲内に管理サーバ５に接続された無線アクセスポイント装置３があるかを判断する（ステップＳ９０１）。
【０１３２】
ここで、移動ノード４の通信範囲内に管理サーバ５に接続された無線アクセスポイント装置３がある場合（ステップＳ９０１“Ｙ”）、移動ノード４から無線アクセスポイント装置３経由で設定ファイルの適用成功を知らせるパケットを管理サーバ５へ送信する（ステップＳ９０２）。
【０１３３】
次いで、設定ファイルの適用成功を知らせるパケットから設定ファイルの適用に成功したセンサノード２のノードＩＤを取得する（ステップＳ９０３）。
【０１３４】
次いで、取得したセンサノード２のノードＩＤをキーに図７に示す設定ファイル適用状況一覧表５６を検索する（ステップＳ９０４）。
【０１３５】
次いで、図７の設定ファイル適用状況一覧表５６の該当行の「適用確認時刻」を管理サーバ５から取得した現在日時に更新する（ステップＳ９０５）。
【０１３６】
次いで、図７の設定ファイル適用状況一覧表５６の該当行の「現在の設定ファイル名」に該当行の「適用を指示した設定ファイル名」をコピーする（ステップＳ９０６）。
【０１３７】
その後、図７の設定ファイル適用状況一覧表５６の該当行の「適用成否」を○に更新する（ステップＳ９０７）。
【０１３８】
また、移動ノード４の通信範囲内に管理サーバ５に接続された無線アクセスポイント装置３がない場合（ステップＳ９０１“Ｎ”）、移動ノード４を携行する作業者１が管理エリアＢに戻るまでＷＡＩＴ（待機）し（ステップＳ９０８）、その後、ステップＳ９０１に戻る。
【０１３９】
図１７は、本発明の実施例に係る運用管理サービスシステムにおける管理者端末からの設定ファイル適用状況の確認時の処理の流れを説明するフローチャート図である。
ステップＳ１０００でスタートした処理は、まず、管理者端末７より管理サーバ５に設定ファイル適用状況の問い合わせを行い（ステップＳ１００１）、その後、図７に示す設定ファイル適用状況一覧表５６を管理者端末７の表示部７０に表示させる（ステップＳ１００２）。
【０１４０】
本実施例は、顧客先１０の農園内の各農地に温度・湿度を計測するセンサノード２を設置し、農作業を行う作業者１に移動ノード（名札センサノード）４を装着してもらう場合について、以下に説明する。
【０１４１】
農地（作業エリアＡ）に設置されているセンサノード２に作業者１が近づくと、移動ノード４からセンサノード２にログ（ログ情報）の送信要求を出し、移動ノード４にセンサノード２のログを記録する。
【０１４２】
次に、作業者１が事務所（管理エリアＢ）に戻ると、事務所に設置された管理サーバ５に移動ノード４から無線アクセスポイント装置３経由でセンサノード２のログを送る。
【０１４３】
センサノード２のログを送信後、移動ノード４からセンサノード２のログを削除する。
【０１４４】
センサノード２のログ収集間隔などを変更したい場合、運用代行会社７２の管理者７１は、管理者端末７でログ収集間隔の設定値の変更を管理サーバ５に指示する。
【０１４５】
管理サーバ５は、管理者端末７からの指示に基づき設定ファイルを作成し、事務所（管理エリアＢ）内にいる作業者１の移動ノード４へ作成した設定ファイルを送信する。
【０１４６】
移動ノード４は、設定ファイルを記録部に記録する。
【０１４７】
作業者１が農地（作業エリアＡ）の作業に行くと、設定ファイルが移動ノード４からセンサノード２に送信され、設定ファイルがセンサノード２に適用される。
【０１４８】
設定ファイル適用後、移動ノード４から設定ファイルを削除する。
【０１４９】
毎日、管理サーバ５に設定された時刻（７：００）になると、全センサノードに対して収集したログの最新時刻を確認し、１日（２４時間）以上ログが収集されていないセンサノード２が有る場合、ログ収集が行われていないセンサノード２の設置場所を顧客と運用代行会社７２の管理者７１にメールで通知する。
【０１５０】
また、運用代行会社７２の管理者７１は、管理サーバ５にログ収集状況を問い合わせることで、１日（２４時間）以上ログ収集が行われていないノードＩＤとセンサノード２の設置場所を確認することができる。
【０１５１】
設定ファイル送信時に、管理サーバ５では、送信した設定ファイル名と設定ファイル適用を指示した時刻などを記録しておき、設定ファイルがセンサノード２で適用されたことを確認すると、設定ファイルの適用が成功したことを設定値管理データベース５３に記録する。
【０１５２】
運用代行会社７２の管理者７１は、管理サーバ５に設定ファイルの適用状況を問い合わせることで、設定ファイルの適用状況を確認することができる。
【０１５３】
本実施例では、測定現場がインターネットに接続できないような環境でも、センサノード２の遠隔管理が可能になる。
【０１５４】
さらに、本実施例では、移動ノード４を携行する作業者１が意識することなくセンサノード２のログ収集を行うことができる。
【０１５５】
また、万一、ログ収集漏れが有った場合でも、どのセンサノード２からログを収集していないか管理者端末７で把握しているため、ログ収集を指示することができる。
【０１５６】
同様に、管理サーバ５から送られた処理を記述したバッチファイルや設定ファイルのセンサノード２への適用状況を管理者端末７で把握することができる。
【０１５７】
本発明の運用管理サービスシステムは、測定現場がインターネットに接続できないような環境でも、運用代行会社７２から人を派遣することなくセンサノード２を遠隔管理可能である。
【０１５８】
また、ログの収集状況、設定ファイルの配布状況を運用代行会社７２の管理者端末７で一元的に管理可能である。
【図面の簡単な説明】
【０１５９】
【図１】本発明の実施例に係る運用管理サービスシステムを示すシステム構成図。
【図２】設定ファイルの適用成功を知らせるパケットの一例を示す図。
【図３】管理サーバ設定値の一例を示す図。
【図４】センサノードのログの一例を示す図。
【図５】センサノード一覧表の一例を示す図。
【図６】ログ収集要請一覧表の一例を示す説明図。
【図７】設定ファイル適用状況一覧表の一例を示す図。
【図８】本発明の実施例に係る運用管理サービスシステムにおける移動ノードによるセンサノードからのログの収集時の処理の流れを説明するフローチャート図。
【図９】本発明の実施例に係る運用管理サービスシステムにおける移動ノードから管理サーバへのログの送信時の処理の流れを説明するフローチャート図。
【図１０】本発明の実施例に係る運用管理サービスシステムにおける管理サーバから移動ノードへの設定ファイルの送信時の処理の流れを説明するフローチャート図。
【図１１】本発明の実施例に係る運用管理サービスシステムにおける移動ノードからセンサノードへの設定ファイルの送信時の処理の流れを説明するフローチャート図。
【図１２】本発明の実施例に係る運用管理サービスシステムにおける管理サーバでのログ収集状況の自動確認時の処理の流れを説明するフローチャート図。
【図１３】本発明の実施例に係る運用管理サービスシステムにおける管理サーバのログ登録処理の流れを説明するフローチャート図。
【図１４】本発明の実施例に係る運用管理サービスシステムにおける管理者端末からのログ収集状況の確認時の処理の流れを説明するフローチャート図。
【図１５】本発明の実施例に係る運用管理サービスシステムにおける管理サーバの設定ファイル送信状況の登録処理の流れを説明するフローチャート図。
【図１６】本発明の実施例に係る運用管理サービスシステムにおけるセンサノードでの設定ファイル適用状況の管理サーバへの登録処理の流れを説明するフローチャート図。
【図１７】本発明の実施例に係る運用管理サービスシステムにおける管理者端末からの設定ファイル適用状況の確認時の処理の流れを説明するフローチャート図。
【符号の説明】
【０１６０】
１  作業者
２  センサノード
３  無線アクセスポイント装置
４  移動ノード
５  管理サーバ
６  ネットワーク
７  管理者端末
９  ＬＡＮ
１０  顧客先
２０  パケット
２１  ログ
５０  収集ログデータベース
５１  設定ファイル
５２  ログ収集状況管理データベース
５３  設定値管理データベース
５４  センサノード一覧表
５５  ログ収集要請一覧表
５６  設定ファイル適用状況一覧表
７０  表示部
７１  管理者
７２  運用代行会社
Ａ  作業エリア
Ｂ  管理エリア
Ｓ  運用管理サービスシステム
【図１】
0004768527.tif 000002
【図２】
0004768527.tif 000003
【図３】
0004768527.tif 000004
【図４】
0004768527.tif 000005
【図５】
0004768527.tif 000006
【図６】
0004768527.tif 000007
【図７】
0004768527.tif 000008
【図８】
0004768527.tif 000009
【図９】
0004768527.tif 000010
【図１０】
0004768527.tif 000011
【図１１】
0004768527.tif 000012
【図１２】
0004768527.tif 000013
【図１３】
0004768527.tif 000014
【図１４】
0004768527.tif 000015
【図１５】
0004768527.tif 000016
【図１６】
0004768527.tif 000017
【図１７】
0004768527.tif 000018